(57)【要約】【課題】取引価格の過度な低下を抑制しつつ出品物が購入される可能性を向上させることができる出品物取引処理装置、出品物取引処理方法および出品物取引処理プログラムを提供すること。【解決手段】本願に係る出品物取引処理装置は、第１受付部と、取引価格変更部と、第２受付部と、提示順位決定部と、配信部を備える。第１受付部は、出品物の取引価格の設定を受け付ける。取引価格変更部は、設定された取引価格を段階的に下げる。第２受付部は、出品物の販売促進の設定を受け付ける。提示順位決定部は、販売促進が設定された出品物の提示順位を優先して上位にする。【選択図】図１
2018049372.tif 000002
【特許請求の範囲】
【請求項１】
出品物の取引価格の設定を受け付ける第１受付部と、
前記設定された取引価格を段階的に下げる取引価格変更部と、
前記出品物の販売促進の設定を受け付ける第２受付部と、
前記販売促進が設定された出品物の提示順位を優先して上位にする提示順位決定部と、
前記提示順位決定部によって決定された提示順位で前記出品物の情報を配信する配信部と、を備える
ことを特徴とする出品物取引処理装置。
【請求項２】
前記提示順位決定部によって決定された提示順位で前記出品物の情報を配信する配信部を備える
ことを特徴とする請求項１に記載の出品物取引処理装置。
【請求項３】
前記提示順位決定部によって決定された提示順位の情報を配信する配信部を備える
ことを特徴とする請求項１に記載の出品物取引処理装置。
【請求項４】
前記取引価格変更部は、
前記提示順位決定部によって提示順位が優先して上位になっている出品物の前記取引価格を下げる処理を停止または前記取引価格の下げ幅を低減する
ことを特徴とする請求項１〜３のいずれか一つに記載の出品物取引処理装置。
【請求項５】
前記提示順位決定部は、
前記販売促進に対する対価が高いほど前記提示順位を優先して上位にする
ことを特徴とする請求項１〜４のいずれか一つに記載の出品物取引処理装置。
【請求項６】
前記第１受付部は、
前記取引価格の開始価格と最低価格の設定を受け付け
前記取引価格変更部は、
前記開始価格から段階的に前記最低価格まで前記取引価格を下げ、
前記第２受付部は、
前記取引価格または前記最低価格に対する販売促進費を示す販促割合を受け付け、
前記提示順位決定部は、
前記取引価格または前記最低価格と前記販促割合との乗算結果に基づいて前記販売促進に対する対価を決定する
ことを特徴とする請求項５に記載の出品物取引処理装置。
【請求項７】
前記第１受付部は、
前記取引価格の開始価格と最低価格の設定を受け付け
前記取引価格変更部は、
前記開始価格から段階的に前記最低価格まで前記取引価格を下げ、
前記提示順位決定部は、
前記開始価格と前記最低価格との差に基づいて前記販売促進に対する対価を決定する
ことを特徴とする請求項５に記載の出品物取引処理装置。
【請求項８】
前記販売促進が設定されていない出品物の出品者に対して前記販売促進の設定を促す情報を通知する通知部を備える
ことを特徴とする請求項１〜７のいずれか一つに記載の出品物取引処理装置。
【請求項９】
前記出品物に対する注目度を判定する注目度判定部を備え、
前記通知部は、
前記注目度判定部によって判定された前記注目度が所定条件を満たす場合に、出品物の出品者に対して前記販売促進の設定を促す情報を通知する
ことを特徴とする請求項８に記載の出品物取引処理装置。
【請求項１０】
前記提示順位決定部は、
出品開始日時が新しい出品物ほど前記提示順位を上位にしつつ、前記販売促進に対する対価が高いほど前記提示順位を優先的に上位に繰り上げる
ことを特徴とする請求項１〜９のいずれか一つに記載の出品物取引処理装置。
【請求項１１】
コンピュータが実行する出品物取引処理方法であって、
出品物の取引価格の設定を受け付ける第１受付工程と、
前記設定された取引価格を段階的に下げる取引価格変更工程と、
前記出品物の販売促進の設定を受け付ける第２受付工程と、
前記販売促進が設定された出品物の提示順位を優先して上位にする提示順位決定工程と、を含む
ことを特徴とする出品物取引処理方法。
【請求項１２】
出品物の取引価格の設定を受け付ける第１受付手順と、
前記設定された取引価格を段階的に下げる取引価格変更手順と、
前記出品物の販売促進の設定を受け付ける第２受付手順と、
前記販売促進が設定された出品物の提示順位を優先して上位にする提示順位決定手順と、
をコンピュータに実行させることを特徴とする出品物取引処理プログラム。
【発明の詳細な説明】
【技術分野】
【０００１】
本発明は、出品物取引処理装置、出品物取引処理方法および出品物取引処理プログラムに関する。
【背景技術】
【０００２】
近年、インターネットの飛躍的な普及に伴い、ネットワークを介して企業間、企業個人間、個人間での出品物取引が広く行われている。例えば、ネットワークを介してフリーマーケット形式で商品の売買を行うための出品物取引サービスが知られており、かかる出品物取引サービスにおいて、利用者は設定された取引価格で出品物を即座に購入することができる。
【０００３】
できるだけ高い価格で購入されるような取引価格を出品者が設定することが難しい場合、設定された取引価格が固定的であると、出品物が購入されない可能性が高くなる。そこで、出品物が購入される可能性を高めるために、出品者による設定に応じて段階的に取引価格を下げる技術が提案されている（例えば、特許文献１参照）。
【先行技術文献】
【特許文献】
【０００４】
【特許文献１】特開２００９−２７７２０７号公報
【発明の概要】
【発明が解決しようとする課題】
【０００５】
しかしながら、例えば、出品物の提示順位を出品順とした場合、時間の経過に従って出品物の提示順位が遅れるため、出品開始日時からの時間経過が長くなると、出品物の取引価格を引き下げても出品物が購入される可能性が低減する。
【０００６】
本願は、上記に鑑みてなされたものであって、取引価格の過度な低下を抑制しつつ出品物が購入される可能性を向上させることができる出品物取引処理装置、出品物取引処理方法および出品物取引処理プログラムを提供することを目的とする。
【課題を解決するための手段】
【０００７】
本願に係る出品物取引処理装置は、第１受付部と、取引価格変更部と、第２受付部と、提示順位決定部と、配信部とを備える。前記第１受付部は、出品物の取引価格の設定を受け付ける。前記取引価格変更部は、前記設定された取引価格を段階的に下げる。前記第２受付部は、前記出品物の販売促進の設定を受け付ける。前記提示順位決定部は、前記販売促進が設定された出品物の提示順位を優先して上位にする。
【発明の効果】
【０００８】
実施形態の一態様によれば、取引価格の過度な低下を抑制しつつ出品物が購入される可能性を向上させることができる出品物取引処理装置、出品物取引処理方法および出品物取引処理プログラムを提供することができる。
【図面の簡単な説明】
【０００９】
【図１】図１は、実施形態に係る出品物取引処理の説明図である。
【図２】図２は、実施形態に係る取引システムの構成例を示す図である。
【図３】図３は、実施形態に係る端末装置の一例を示す図である。
【図４】図４は、実施形態に係る出品物取引処理装置の構成例を示す図である。
【図５】図５は、出品物登録画面の一例を示す図である。
【図６】図６は、出品情報記憶部に記憶される出品情報テーブルの一例を示す図である。
【図７】図７は、端末装置に表示された出品物一覧画面の一例を示す図である。
【図８】図８は、端末装置に表示された出品物画面の一例を示す図である。
【図９】図９は、取引価格の変化の一例を示す図である。
【図１０】図１０は、端末装置に表示される販売促進設定画面の一例を示す図である。
【図１１】図１１は、出品物一覧画面と表示部の表示との関係の一例を示す図である。
【図１２】図１２は、端末装置に表示される通知画面の一例を示す図である。
【図１３】図１３は、実施形態に係る出品物取引処理装置における情報処理の流れを示すフローチャートである。
【図１４】図１４は、図１３に示すステップＳ１３の処理の一例を示す図である。
【図１５】図１５は、出品物取引処理プログラムを実行するコンピュータのハードウェア構成の一例を示す図である。
【発明を実施するための形態】
【００１０】
以下に、本願に係る出品物取引処理装置、出品物取引処理方法および出品物取引処理プログラムを実施するための形態（以下、「実施形態」と呼ぶ）について図面を参照しつつ詳細に説明する。なお、この実施形態により本願に係る出品物取引処理装置、出品物取引処理方法および出品物取引処理プログラムが限定されるものではない。
【００１１】
〔１．出品物取引処理〕
図１を用いて、実施形態に係る出品物取引処理について説明する。図１は、実施形態に係る出品物取引処理の説明図であり、本実施形態においては、出品物取引サービスを提供する出品物取引処理装置１によって出品物取引処理が実行される。
【００１２】
図１に示す例では、ユーザＵ１が出品者として商品Ｄを出品物とした出品要求を端末装置２１から出品物取引処理装置１へ送信する（ステップＳ１）。出品要求には、例えば、商品Ｄの説明、商品Ｄの画像、開始価格、最低価格などの情報が含まれる。開始価格は、出品開始時の商品Ｄの取引価格Ｐであり、最低価格は、商品Ｄの取引価格Ｐの最低価格である。
【００１３】
出品物取引処理装置１は、端末装置２１から出品要求を受け付けると、かかる出品要求に含まれる出品情報に基づいて、出品処理を開始する。かかる出品処理が行われた後、出品物取引処理装置１を利用するユーザＵ２の端末装置２２からの一覧要求があると（ステップＳ２）、出品物取引処理装置１は、出品物一覧画面６１の情報を送信する（ステップＳ３）。かかる出品物一覧画面６１の情報に基づいて、端末装置２２の表示部１２に出品物一覧画面６１が表示される。
【００１４】
出品物取引処理装置１は、出品開始日時が新しい出品物ほど優先して上位に提示されるように出品物一覧画面６１を生成する。そのため、端末装置２２の表示部１２に表示されている出品物一覧画面６１のように、商品Ｄの提示位置（提示順位の一例）は、最上位である位置Ｌ１であり、かかる位置Ｌ１に商品Ｄの情報が表示される。出品物一覧画面６１の位置Ｌ１を選択（例えば、クリック）することによって、商品Ｄの出品情報に応じた出品物画面が端末装置２２の表示部１２に表示される。
【００１５】
図１に示す例では、端末装置２２の表示部１２には位置Ｌ１〜Ｌ１５に出品物の情報が表示されており、ユーザＵ２は、は出品物一覧画面６１をスクロール操作することによって、位置Ｌ１６以降の出品物を確認することができる。
【００１６】
その後、出品物取引処理装置１を利用するユーザＵ３の端末装置２３からの一覧要求があると（ステップＳ４）、出品物取引処理装置１は、出品物一覧画面６１の情報を送信する（ステップＳ５）。かかる出品物一覧画面６１の情報に基づいて、端末装置２３の表示部１２に出品物一覧画面６１が表示される。
【００１７】
上述したように、出品開始日時が新しい出品物ほど優先して上位に表示されることから、商品Ｄの情報は、時間の経過と共に、提示位置が下位の位置になる。図１に示す例では、端末装置２３の表示部１２に表示されている出品物一覧画面６１のように、商品Ｄの提示位置は位置Ｌ１から繰り下がった位置Ｌ３３であり、かかる位置Ｌ３３に商品Ｄの情報が表示されている。
【００１８】
出品物取引処理装置１は、商品Ｄの取引価格Ｐを開始価格に設定した後、商品Ｄが購入されない状態が継続する場合、取引価格Ｐを段階的に下げる処理を行う（ステップＳ６）。このように、出品物取引処理装置１は、出品物が購入されない状態が継続する場合には、取引価格Ｐを段階的に下げる処理を行う。
【００１９】
そのため、例えば、出品者による取引価格Ｐの設定が出品物の購入を検討している利用者（以下、購入検討者と記載する）が出品物を購入しようとする価格と乖離しているような場合であっても、出品物が購入されない可能性を低減することができる。一方で、上述のように、商品Ｄの情報は、時間の経過と共に、提示位置が下位の位置になるため、商品Ｄの取引価格Ｐが段階的に下げられても、商品Ｄの存在が把握される可能性が減少していく。
【００２０】
そこで、出品物取引処理装置１は、商品Ｄの出品者であるユーザＵ１の端末装置２１から商品Ｄの販売促進の設定を受け付ける（ステップＳ７）。なお、出品物取引処理装置１は、商品Ｄの販売促進の設定を、商品Ｄの出品要求から商品Ｄの出品終了までの間に受け付けることができる。
【００２１】
商品Ｄの販売促進の設定を受け付けると、出品物取引処理装置１は、商品Ｄに対する販売促進処理を行う（ステップＳ８）。かかる販売促進処理において、出品物取引処理装置１は、販売促進が設定された出品物の提示順位を優先して上位にする提示順位決定処理を行う（ステップＳ９）。
【００２２】
かかる提示順位決定処理において、出品物取引処理装置１は、例えば、販売促進に対する対価（以下、販促対価と記載する）が高いほど商品Ｄの提示順位を優先して上位にする。この場合、商品Ｄの提示順位は、販促対価の高さに応じた提示順位であり、新着順の提示順位に割り込んで設定される。なお、販促対価は、例えば、端末装置２１からの設定内容などに基づいて設定される。
【００２３】
その後、出品物取引処理装置１を利用するユーザＵ４の端末装置２４から一覧要求があると（ステップＳ１０）、出品物取引処理装置１は、新着順に決定された出品物の提示位置で配列された出品物一覧画面６１の情報を配信する（ステップＳ１１）。
【００２４】
かかる出品物一覧画面６１の情報に基づいて、端末装置２４の表示部１２に出品物一覧画面６１が表示される。図１に示す例では、端末装置２４の表示部１２に表示されている出品物一覧画面６１のように、商品Ｄの提示位置は位置Ｌ３３から上位に繰り上がった位置Ｌ８であり、かかる位置Ｌ８に商品Ｄの情報が表示されている。かかる位置Ｌ８は、販促対価の高さに対応する提示位置である。
【００２５】
販売促進の設定がない新着順の一覧表示では商品Ｄの提示位置が下位に移動するため、商品Ｄの取引価格Ｐを下げても購入されない可能性があるが、販売促進の設定によって、商品Ｄの提示位置を新着順の提示位置に比べて、上位に繰り上げることができる。これにより、商品Ｄが購入される可能性を向上させ、商品Ｄが購入されるタイミングを早めることができる。
【００２６】
このように、出品物取引処理装置１による出品物取引処理においては、取引価格Ｐの過度な低下を抑制しつつ出品物が購入される可能性を向上させることができる。なお、上述した出品物取引処理は、販売促進が設定された出品物の提示順位を優先して上位にする提出品物取引処理であればよく、取引価格Ｐを段階的に下げる出品物取引処理に限定されない。すなわち、出品物取引処理装置１は、取引価格Ｐで購入が行われる出品物取引処理において、販売促進が設定された出品物の提示順位を優先して上位にすることができればよい。これにより、出品物が購入される可能性を向上させることができる。
【００２７】
また、端末装置２において、出品物取引処理装置１で決定された出品物の提示順位に基づいて、出品物一覧画面６１を生成することもできる。この場合、出品物取引処理装置１は、出品物一覧画面６１の情報として、出品物の提示順位の情報を含む情報を端末装置２へ送信する。端末装置２は、出品物の提示順位の情報に基づいて出品物の情報を配列して出品物一覧画面６１を生成して表示する。
【００２８】
〔２．取引システム〕
図２は、実施形態に係る取引システムの構成例を示す図である。図２に示すように、実施形態に係る取引システム１００は、出品物取引処理装置１と、複数の端末装置２１〜２ｎ（ｎは、２以上の整数）とを備える。
【００２９】
これら出品物取引処理装置１および複数の端末装置２１〜２ｎ（以下、端末装置２と総称する場合がある）は、ネットワーク３を介して有線または無線により互いに通信可能に接続される。ネットワーク３は、例えば、ＬＡＮ（Local  Area  Network）や、インターネットなどのＷＡＮ（Wide  Area  Network）である。端末装置２１〜２ｎは、ユーザＵ１〜Ｕｎ（以下、ユーザＵと総称する場合がある）によって操作される。
【００３０】
端末装置２は、例えば、スマートフォン、タブレット型端末、ＰＤＡ（Personal  Digital  Assistant）、パーソナルコンピュータ等であり、通信部１０と、制御部１１（コントローラ）と、表示部１２と、操作部１３と、記憶部１４とを備える。図３は、端末装置２の一例を示す図である。
【００３１】
制御部１１は、ＣＰＵ（Central  Processing  Unit）、ＲＯＭ（Read  Only  Memory）、ＲＡＭ（Random  Access  Memory）、入出力ポートなどを有するマイクロコンピュータや各種の回路を含む。表示部１２は、例えば、ＬＣＤ（Liquid  Crystal  Display）であり、操作部１３は、例えば、キーボードやタッチパネルなどである。
【００３２】
制御部１１は、処理部１５と、表示制御部１６を備える。かかる処理部１５および表示制御部１６の機能は、例えば、制御部１１のＣＰＵが制御部１１のＲＯＭに記憶されている出品物取引処理アプリケーションのプログラムを読み出して実行することにより実現される。
【００３３】
処理部１５は、ユーザＵの操作部１３への操作を検出し、かかる操作に応じた要求を出品物取引処理装置１へ送信する。また、表示制御部１６は、出品物取引処理装置１から送信される各種の画面の情報やユーザＵの操作部１３への入力操作に応じた情報を表示部１２に表示し、ユーザＵの操作部１３を用いたスクロール操作に応じて表示画面をスクロール表示させることができる。
【００３４】
出品物取引処理装置１は、図４に示すように、通信部２０と、記憶部２１と、制御部２２（コントローラ）とを備え、端末装置２のユーザＵに出品物取引サービスを提供する。図４は、実施形態に係る出品物取引処理装置１の構成例を示す図である。以下、通信部２０、記憶部２１および制御部２２の順に具体的に説明する。
【００３５】
〔２．１．通信部２０〕
通信部２０は、ネットワーク３との間で情報の送受信を行う通信インターフェイスであり、ネットワーク３との接続を有線または無線で行う。制御部２２は、通信部２０およびネットワーク３を介して、端末装置２との間で各種の情報を送受信することができる。
【００３６】
〔２．２．記憶部２１〕
記憶部２１は、ユーザ情報記憶部３１と、出品情報記憶部３２とを有する。ユーザ情報記憶部３１および出品情報記憶部３２は、例えば、ＲＡＭ、フラッシュメモリ等の半導体メモリ素子、または、ＨＤＤ（Hard  Disk  Drive）、光ディスク等の記憶装置である。
【００３７】
ユーザ情報記憶部３１は、ユーザＵの識別情報であるユーザＩＤ、ユーザＵの属性（例えば、年齢、性別）、ユーザＵが登録した他のユーザＵの出品物の情報および他のユーザＵによる評価などを記憶する。出品情報記憶部３２は、出品物に関する情報を記憶する。
【００３８】
〔２．３．制御部２２〕
制御部２２は、例えば、ＣＰＵ、ＲＯＭ、ＲＡＭ、入出力ポートなどを有するマイクロコンピュータや各種の回路を含む。制御部２２は、出品受付部４１（第１受付部の一例）と、閲覧処理部４２（配信部の一例）と、登録処理部４３と、購入処理部４４と、取引価格変更部４５と、販促受付部４６（第２受付部の一例）と、注目度判定部４７と、提示順位決定部４８と、通知部４９とを備える。
【００３９】
かかる出品受付部４１、閲覧処理部４２、登録処理部４３、購入処理部４４、取引価格変更部４５、販促受付部４６、注目度判定部４７、提示順位決定部４８および通知部４９の機能は、例えば、制御部２２のＣＰＵが制御部２２のＲＯＭに記憶されているプログラムを読み出して実行することにより実現される。
【００４０】
なお、出品受付部４１、閲覧処理部４２、登録処理部４３、購入処理部４４、取引価格変更部４５、販促受付部４６、注目度判定部４７、提示順位決定部４８および通知部４９は、それぞれ一部または全部がＡＳＩＣ（Application  Specific  Integrated  Circuit）やＦＰＧＡ（Field  Programmable  Gate  Array）等のハードウェアで構成されてもよい。
【００４１】
〔２．３．１．出品受付部４１〕
出品受付部４１は、例えば、出品者の端末装置２から出品情報を含む出品要求を受け付ける。出品情報は、出品物に関する情報であり、例えば、出品者のユーザＩＤ、商品名、商品説明、開始価格Ｐｓｔａｒｔ、最低価格Ｐｍｉｎ、登録履歴、コメント履歴、価格変更設定、販売促進設定などの情報を含む。
【００４２】
端末装置２のユーザＵは、例えば、出品受付部４１から提供される出品物登録画面に出品情報を入力し、入力した出品情報を含む出品要求を端末装置２から出品物取引処理装置１へ送信することができる。図５は、出品物登録画面５０の一例を示す図であり、かかる出品物登録画面５０の情報は、出品物取引処理装置１から端末装置２へ送信され、端末装置２の表示制御部１６によって表示部１２に表示される。
【００４３】
図５に示す出品物登録画面５０には、商品名入力枠５１、商品説明入力枠５２、開始価格入力枠５３、最低価格入力枠５４、価格変更設定枠５５および商品画像設定枠５６が含まれており、端末装置２のユーザＵは、各枠５１〜５６へ出品物に応じた情報を入力または設定することができる。
【００４４】
商品名入力枠５１は、出品物の名称である商品名が入力される枠であり、商品説明入力枠５２は、出品物の説明文が入力される枠である。開始価格入力枠５３は、出品物の取引価格Ｐの初期値である開始価格Ｐｓｔａｒｔが入力される枠であり、最低価格入力枠５４は、取引価格Ｐの最低値である最低価格Ｐｍｉｎが入力される枠である。
【００４５】
価格変更設定枠５５は、取引価格Ｐの動的な変更を許可するか否かを設定するためのチェックボックスである。価格変更設定枠５５にチェックマークが設定されるように、ユーザＵは、操作部１３を操作して、取引価格Ｐの動的な変更を許可する状態に設定することができる。また、商品画像設定枠５６には、ユーザＵによる操作部１３の操作によって、出品物の画像を１以上設定することができる。
【００４６】
端末装置２のユーザＵは、操作部１３を操作して、出品物登録画面５０のそれぞれの枠５１〜５６に、商品名、商品説明、開始価格Ｐｓｔａｒｔ、最低価格Ｐｍｉｎ、価格変更設定の有無、出品物の画像を設定し、出品ボタン５７を選択（クリック）する。これにより、ユーザＵによって設定された情報が出品情報として含まれる出品要求が端末装置２の処理部１５によって出品物取引処理装置１へ送信される。
【００４７】
出品受付部４１は、出品者の端末装置２から出品情報を含む出品要求を受け付けた場合、出品要求に含まれる情報を出品情報記憶部３２に記憶された出品情報テーブルに設定する。図６は、出品情報記憶部３２に記憶される出品情報テーブルの一例を示す図である。
【００４８】
図６に示す出品情報テーブルは、「出品ＩＤ」に対し、「出品者ＩＤ」、「商品名」、「商品説明」、「出品開始日時」、「開始価格」、「現在価格」、「最低価格」、「登録履歴」、「コメント履歴」、「閲覧履歴」、「価格変更設定」、「販売促進設定」が関連付けられた情報である。
【００４９】
「出品ＩＤ」は、出品要求毎に割り当てられる識別情報であり、「出品者ＩＤ」は、出品要求の出品情報に含まれる出品者のユーザＩＤである。なお、ユーザＵ１〜Ｕｎは、出品物取引処理装置１が提供する出品物取引サービスのユーザであり、ユーザＵ１〜ＵｎのユーザＩＤは、Ｕ１〜Ｕｎ（ｎは２以上の整数）であるものとする。
【００５０】
また、「出品者ＩＤ」、「商品名」、「商品説明」、「開始価格」、「最低価格」および「価格変更設定」には、出品要求の出品情報に含まれる商品名、商品説明、開始価格Ｐｓｔａｒｔ、最低価格Ｐｍｉｎおよび価格変更設定のそれぞれの情報が割り当てられる。「価格変更設定」は、取引価格Ｐの動的な変更を許可するか否かを示す情報である。
【００５１】
「出品開始日時」は、出品物取引サービスにおいて出品物の出品が開始された日時であり、「現在価格」は、現時点での取引価格Ｐの情報である。「登録履歴」は、出品物画面（図８参照）の登録ボタン６５が選択（押下）された日時や回数（以下、登録数Ｎｅと記載する）などの情報であり、「コメント履歴」は、出品物取引に関して書き込まれたコメントやコメントの数（以下、コメント数Ｎｃと記載する）の情報である。また、「閲覧履歴」は、後述する出品物画面（図８参照）が閲覧された日時や回数（以下、閲覧数Ｎｖと記載する）などの情報である。
【００５２】
「販売促進設定」は、出品物に対する販売促進の設定内容を示す情報（以下、販促設定情報と記載する）であり、ユーザＵによって選択された設定モードを示す情報（以下、選択モード情報と記載する）と、選択された設定モードの実行に必要なパラメータの情報（パラメータ情報）とが含まれる。図６に示す出品情報テーブルには、選択モード情報のみが表示されているが、出品情報テーブルにはパラメータ情報も設定される。
【００５３】
例えば、出品ＩＤ「Ｃ１」に対し、出品者のユーザＩＤ「Ｕ１」、商品名「商品Ａ」、商品説明「新品同様・・・」、出品開始日時「３／１０  １８：００」、開始価格「￥６００」、現在価格「￥５５０」、最低価格「￥４００」、価格変更設定「あり」、販売促進設定「１」がそれぞれ関連付けられて出品情報として出品情報記憶部３２に記憶される。販売促進設定「１」は、ユーザＵによって選択された設定モードが第１設定モードであることを意味する。
【００５４】
また、出品ＩＤ「Ｃ２」に対し、出品者のユーザＩＤ「Ｕ２」、商品名「商品Ｂ」、商品説明「少し汚れ・・・」、出品開始日時「３／１１  １２：００」、開始価格「￥８００」、現在価格「￥８００」、価格変更設定「なし」、販売促進設定「０」がそれぞれ関連付けられて出品情報として出品情報記憶部３２に記憶される。販売促進設定「０」は、販売促進の未設定であることを意味する。
【００５５】
なお、出品ＩＤ「Ｃ２」の出品物については、価格変更設定「なし」および選択モード情報「０」が設定されているため、出品ＩＤ「Ｃ２」に対しては取引価格Ｐに対する動的な変更処理や販売促進処理は適用されない。
【００５６】
また、図６に示す例では、出品ＩＤ「Ｃ３」に対し、最低価格は設定されておらず、価格変更設定「あり」が設定されている。そのため、出品ＩＤ「Ｃ３」の出品物に対して、は取引価格Ｐに対する動的な価格変更処理が適用され、かつ、取引価格Ｐの下限値は、出品物取引処理装置１において予め設定された固定値になる。かかる固定値は、例えば、開始価格から所定割合の値または所定値（例えば、￥１００）である。
【００５７】
出品受付部４１は、出品要求に対応する出品物の出品物取引処理が開始された後に、出品要求時に設定していない情報を含む追加設定要求を受け付け、かかる追加設定要求に含まれる情報を出品情報テーブルに設定することができる。これにより、例えば、出品要求時に最低価格や価格変更設定の情報が設定されていない状態であっても、出品物の取引開始後に最低価格や価格変更設定を設定することができる。また、出品要求時に設定した情報であっても、出品物の取引開始後に変更（再設定）することができる。
【００５８】
また、出品受付部４１は、出品要求に対応する出品物の出品物取引処理が開始された後に、端末装置２から出品要求時に設定された情報のうち１以上の情報の設定を解除する設定解除要求を受け付け、かかる設定解除要求に含まれる情報を出品情報テーブルから削除することもできる。
【００５９】
〔２．３．２．閲覧処理部４２〕
閲覧処理部４２（図４参照）は、端末装置２から閲覧要求を受け付ける。かかる閲覧要求には、例えば、端末装置２のユーザＵのユーザＩＤなどの情報が含まれる。閲覧処理部４２は、端末装置２からの閲覧要求を受け付けると、出品物一覧画面の情報を端末装置２へ送信する。これにより、出品物の情報が端末装置２へ配信される。
【００６０】
なお、閲覧要求は、例えば、端末装置２における出品物取引処理アプリケーションの起動時に端末装置２の処理部１５から出品物取引処理装置１へ送信される。また、閲覧要求は、例えば、配列条件を指定する情報や、端末装置２のユーザＵによって指定されたキーワード（以下、指定キーワードと記載する）や商品カテゴリ（以下、指定カテゴリと記載する）などの情報を含んでいてもよい。
【００６１】
図７は、端末装置２に表示された出品物一覧画面６１の一例を示す図である。図７に示す出品物一覧画面６１には、複数の表示領域６２のそれぞれに出品物に関する情報が表示される。かかる出品物一覧画面６１は、例えば、縦長のページ画面であり、端末装置２のユーザＵは、スクロール操作によって多数の出品物を閲覧することが可能である。
【００６２】
閲覧処理部４２は、提示順位決定部４８によって決定された提示順位に基づいて複数の出品物の情報を複数の表示領域６２に配置した出品物一覧画面６１を生成し、出品物取引処理装置１へ送信する。例えば、提示順位決定部４８は、提示順位が最上位の出品物を位置Ｌ１（図１参照）に配置し、提示順位が次の順位の出品物を位置Ｌ２（図１参照）に配置するといった手順で各出品物の情報を各表示領域６２に設定する。
【００６３】
このように、閲覧処理部４２は、提示順位決定部４８によって決定された提示順位に従った提示位置に出品物の情報が配置された出品物一覧画面６１の情報を生成し、かかる出品物一覧画面６１の情報を端末装置２へ送信する。
【００６４】
出品物一覧画面６１の情報は、提示順位決定部４７によって決定された提示順位で閲覧処理部４２が出品物の情報を配列した出品物一覧画面６１の情報（以下、第１画面情報と記載する）、または、提示順位決定部４７によって決定された提示順位の情報と出品物の情報とを含む情報（以下、第２画面情報と記載する）である。
【００６５】
なお、第１画面情報は、例えば、出品物のアドレス（例えば、ＵＲＬ）と出品物の出品物一覧画面６１上の位置とが関連付けた情報（例えば、ＨＴＭＬデータやＸＭＬデータ）であり、また、第２画面情報は、出品物のアドレスと出品物の提示順位とが関連付けられた情報（例えば、ＨＴＭＬデータやＸＭＬデータ）である。
【００６６】
端末装置２の表示制御部１６は、出品物取引処理装置１から送信される出品物一覧画面６１の情報に基づいて、出品物一覧画面６１を表示部１２に表示する。例えば、端末装置２の表示制御部１６は、第１画面情報に基づいて出品物の情報（例えば、出品物の画像）を取得し、取得した出品物の情報を第１画面情報で設定された位置に配置した出品物一覧画面６１を表示部１２に表示する。また、端末装置２の表示制御部１６は、第２画面情報に基づいて出品物の情報を取得し、取得した出品物の情報を第２画面情報に基づいて提示順位が最上位の出品物から順次配列した出品物一覧画面６１を表示部１２に表示する。
【００６７】
閲覧処理部４２は、閲覧要求に指定キーワード（または指定カテゴリ）が含まれる場合、提示順位決定部４８によって決定された提示順位に従った提示位置に指定キーワード（または指定カテゴリ）に対応する出品物の情報が配置された出品物一覧画面６１の情報を生成する。
【００６８】
なお、図７では、出品物一覧画面６１において一度に１５個の出品物の情報を表示する例を示しているが、出品物一覧画面６１において一度に表示できる出品物の情報は、１５個未満であってもよく、１６個以上であってもよい。また、出品物一覧画面６１は、出品物の画像のみの表示であってもよく、出品物の説明文のみの表示であってもよい。さらに、出品物一覧画面６１は、出品物の情報が縦方向のみに連続する配列であってもよく、出品物の情報が横方向のみに連続する配列であってもよい。
【００６９】
端末装置２のユーザＵは、出品物一覧画面６１のうち所望の出品物の表示領域を選択（クリック）することで、選択された出品物の出品ＩＤを含む個別閲覧要求が端末装置２から出品物取引処理装置１へ送信される。
【００７０】
閲覧処理部４２は、端末装置２から送信される個別閲覧要求を受け付けると、個別閲覧要求に含まれる出品ＩＤに対応する閲覧履歴の情報を更新する。閲覧履歴の情報には、後述する出品物画面を閲覧したユーザＵのユーザＩＤや閲覧日時、ユーザＵが出品物画面を閲覧した回数（閲覧数Ｎｖ）などの情報が含まれる。
【００７１】
また、閲覧処理部４２は、端末装置２から送信される個別閲覧要求を受け付けると、出品物画面の情報を端末装置２へ送信する。図８は、端末装置２に表示された出品物画面６３の一例を示す図である。
【００７２】
図８に示すように、出品物画面６３には、出品物画像表示領域６４と、登録ボタン６５と、コメントボタン６６と、シェアボタン６７と、商品説明領域６８と、取引価格表示領域７０と、購入手続ボタン７１とが含まれる。なお、図示しないが、出品物画面６３には、出品者の情報、関連商品の情報などが含まれており、端末装置２のユーザＵは、出品物画面６３をスクロールすることによって、出品者の情報、関連商品（出品物と関連する他の出品物）の情報などを端末装置２の表示領域に表示することができる。
【００７３】
出品物画像表示領域６４には、出品物の画像が表示され、商品説明領域６８には、出品物の説明文が表示される。出品物の説明文には、出品物に関する情報の他、例えば、配送方法や配送料金の負担などの情報が含まれる。
【００７４】
登録ボタン６５は、例えば、出品物画面６３に画像が表示されている出品物の購入を検討している端末装置２のユーザＵによって選択（クリック）される。ユーザＵが登録ボタン６５を選択した場合、ユーザＩＤおよび出品ＩＤを含む登録要求が端末装置２から出品物取引処理装置１へ送信される。
【００７５】
コメントボタン６６は、出品物画面６３に画像が表示されている出品物に対応する後述のコメント画面を要求するためのボタンである。ユーザＵがコメントボタン６６を選択した場合、端末装置２の処理部１５は、ユーザＩＤおよび出品ＩＤを含むコメント要求を出品物取引処理装置１へ送信する。
【００７６】
シェアボタン６７は、例えば、出品物画面６３に画像が表示されている出品物をソーシャルネットワークやメールなどによって他者とシェアするためのボタンである。ユーザＵがシェアボタン６７を選択した場合、処理部１５は、出品物画面６３の情報（例えば、ＵＲＬなど）をソーシャルネットワークやメールを介して送信する。また、処理部１５は、シェアボタン６７が操作されたことを示す情報を出品物画面６３の出品物に対応する出品ＩＤやユーザＩＤと共に送信する。
【００７７】
取引価格表示領域７０には、出品物についての現在の取引価格Ｐの情報が表示される。例えば、出品情報テーブルが図６に示す状態であり、出品ＩＤ「Ｃ１」の出品物の場合、現在価格「￥５５０」が取引価格Ｐとして表示される。
【００７８】
購入手続ボタン７１は、出品物画面６３に画像が表示されている出品物を購入するためのボタンである。端末装置２のユーザＵは、出品物画面６３に画像が表示されている出品物の購入を決定した場合、購入手続ボタン７１を選択（クリック）する。購入手続ボタン７１が選択された場合、端末装置２の処理部１５は、ユーザＩＤおよび出品ＩＤを含む購入要求を端末装置２へ送信する。
【００７９】
〔２．３．３．登録処理部４３〕
登録処理部４３（図４参照）は、端末装置２から送信される登録要求を受け付け、かかる登録要求に含まれる出品ＩＤに対応する出品情報テーブルの「登録履歴」を更新する。例えば、出品情報テーブルが図６に示す状態で、出品ＩＤ「Ｃ１」の出品物に対する登録要求がある場合、登録処理部４３は、出品情報テーブルにおいて、登録要求に含まれるユーザＩＤや登録要求の日時などを更新し、また、登録要求の回数（登録数Ｎｅ）を更新する。
【００８０】
また、登録処理部４３は、端末装置２から送信される登録要求を受け付けると、ユーザＩＤと出品ＩＤとを関連付けて登録結果としてユーザ情報記憶部３１に記憶する。端末装置２のユーザＵは、端末装置２を操作してユーザＩＤを含む登録一覧要求を出品物取引処理装置１へ送信することができる。
【００８１】
登録処理部４３は、端末装置２から送信される登録一覧要求を受け付けると、登録一覧要求に含まれるユーザＩＤに基づいて、かかるユーザＩＤに関連付けられた出品ＩＤをユーザ情報記憶部３１の登録結果から取得する。
【００８２】
そして、登録処理部４３は、登録結果に含まれる出品ＩＤに対応する出品情報を出品情報記憶部３２から取得し、取得した出品情報を含む登録出品物一覧の情報を端末装置２へ送信する。これにより、端末装置２のユーザＵは、登録した出品物の情報を容易に知ることができ、例えば、登録ボタン６５をお気に入り登録のために用いることができる。なお、登録出品物一覧はウォッチリストとも呼ばれる。
【００８３】
なお、登録処理部４３は、提示順位決定部４８によって決定された提示順位が上位であるほど登録出品物一覧の上位の提示位置になるように、登録出品物一覧を生成することもできる。
【００８４】
また、登録処理部４３は、端末装置２から送信されるコメント要求を受け付けると、コメント要求に含まれる出品ＩＤに対応する出品物に関するコメントの情報を出品情報テーブルから取得し、取得したコメントを含むコメント画面の情報を端末装置２へ送信する。
【００８５】
端末装置２の表示制御部１６は、コメント画面の情報を取得すると、かかるコメント画面の情報に基づいて、コメント画面（図示せず）を表示する。かかるコメント画面には、コメント要求に含まれる出品ＩＤに対応する出品物に関して出品者や出品者以外のユーザＵが入力して登録したコメントが表示される。
【００８６】
端末装置２のユーザＵは、かかるコメント画面へコメントを入力することができ、このように入力されたコメントは、処理部１５によって出品ＩＤと共に出品物取引処理装置１へ送信される。登録処理部４３は、端末装置２から送信されたコメントやコメント日時を出品ＩＤに関連付けて出品情報テーブルの「コメント履歴」に設定し、また、「コメント履歴」のコメント数Ｎｃを更新して、出品情報テーブルを更新する。
【００８７】
また、登録処理部４３は、出品物毎にシェアボタン６７の操作履歴を出品情報テーブルのシェア履歴（図示せず）に設定することができる。出品物毎のシェア履歴には、例えば、シェアボタン６７が操作された日時やシェアボタン６７を操作したユーザＵのユーザＩＤ、および、シェアボタン６７が操作された回数（以下、シェア回数Ｎｓと記載する）などが含まれる。
【００８８】
〔２．３．４．購入処理部４４〕
購入処理部４４（図４参照）は、端末装置２から送信される購入要求を受け付ける。購入処理部４４は、端末装置２から送信される購入要求を受け付けると、かかる購入要求に対応する出品物の購入処理を行う。かかる購入処理は、購入要求時の取引価格Ｐで行われる。
【００８９】
例えば、出品情報テーブルが図６に示す状態であり、出品ＩＤ「Ｃ１」の出品物に対して購入要求がある場合、購入処理部４４は、現在価格「￥５５０」を取引価格Ｐとして購入処理を行う。かかる購入処理は、例えば、クレジットカードによる決済や電子マネーによる決済によって行われる。購入処理部４４は、購入処理を行った出品物の出品処理を終了し、かかる出品物を出品物一覧画面６１への表示対象から除外する。
【００９０】
〔２．３．５．取引価格変更部４５〕
取引価格変更部４５（図４参照）は、出品情報記憶部３２に記憶された出品情報テーブルに基づき、各出品物について取引価格Ｐを開始価格Ｐｓｔａｒｔに設定した後、出品物が購入されない場合には、取引価格Ｐを段階的に下げる処理を行う。取引価格Ｐを段階的に下げる処理は、出品情報テーブルに設定された情報に基づいて行われる。
【００９１】
取引価格変更部４５は、出品情報テーブルにおいて価格変更設定が「あり」に設定されている出品物の取引価格Ｐを段階的に下げる処理を動的に変更し、価格変更設定が「なし」に設定されている出品物の取引価格Ｐを段階的に下げる処理を行わない。
【００９２】
図９は、取引価格Ｐの変化の一例を示す図である。図９に示す例では、所定時間間隔毎の各時刻ｔ１、ｔ２、ｔ３、ｔ４、ｔ５において、所定の下げ幅ΔＰで取引価格Ｐが段階的に下がっていき、時刻ｔ５において、取引価格Ｐが最低価格Ｐｍｉｎになっている。このように、出品物が購入されない場合には、取引価格Ｐを段階的に下げる処理を行う。そのため、例えば、出品者による取引価格Ｐの設定が購入検討者の希望価格と乖離しているような場合であっても、出品物が購入されない可能性を低減することができる。
【００９３】
なお、取引価格変更部４５は、取引価格Ｐを下げる処理を行うタイミング（以下、価格変更タイミングと記載する）を等間隔にするのではなく、価格変更タイミングを不等間隔に設定することもできる。例えば、取引価格変更部４５は、価格変更タイミングの間隔を徐々に小さくしていくことができ、これにより、取引価格Ｐを二次曲線的に下げることができる。これにより、例えば、希望期間（例えば、１日）に近づいてきた場合に取引価格Ｐを急激に下げることができ、出品物が購入される可能性を高めることができる。
【００９４】
また、取引価格変更部４５は、出品物が購入されやすいような時間帯や曜日の価格変更タイミングの間隔を短くすることもできる。例えば、取引価格変更部４５は、出品物取引処理サービスの利用が多い時間帯や曜日における価格変更タイミングの間隔を短くし、出品物取引処理サービスの利用が少ない時間帯や曜日における価格変更タイミングの間隔を長くすることができる。
【００９５】
また、出品物に対する後述の注目度Ｄａ、出品物情報（出品物の説明や画像）の情報量、時間帯、出品物と同一または類似の取引対象の取引価格Ｐなどに基づいて、出品物の取引価格Ｐを段階的に下げていく態様を変更することもできる。
【００９６】
なお、取引価格変更部４５は、最低価格Ｐｍｉｎの設定がされていない場合や出品物の出品後に最低価格Ｐｍｉｎの設定が出品者によって出品情報テーブルから解除（削除）された場合、最低価格Ｐｍｉｎとは無関係に取引価格Ｐを固定値まで段階的に下げていくことができる。これにより、出品物が購入されない状態が継続する場合に、取引価格Ｐを最低価格Ｐｍｉｎよりも下げることができる。
【００９７】
また、取引価格変更部４５は、提示順位決定部４８によって提示順位が優先して上位になっている出品物の取引価格Ｐを下げる処理を停止または下げ幅ΔＰを小さくすることができる。取引価格Ｐの低下や低下度合いを抑えることができ、出品者の利益が低下してしまうことを抑制することができる。
【００９８】
〔２．３．６．販促受付部４６〕
販促受付部４６（図４参照）は、端末装置２からの販売促進要求を受け付け、かかる販売促進要求に応じて、販売促進設定画面の情報を端末装置２へ送信する。販促受付部４６は、販売促進設定画面で設定された販売促進の設定内容を示す情報を端末装置２から取得し、出品情報テーブルに設定する。
【００９９】
図１０は、端末装置２に表示される販売促進設定画面の一例を示す図である。図１０に示す販売促進設定画面８０には、チェックボックス８１〜８４、販促割合入力枠８５、８６、販促費入力枠８７および決定ボタン８８が含まれる。チェックボックス８１〜８４は、第１〜第４設定モードのうちユーザＵが希望する販売促進の設定モードを選択するためのチェックボックスである。
【０１００】
販促割合入力枠８５、８６および販促費入力枠８７は、設定モードのパラメータ情報を入力するための入力枠であり、販促割合入力枠８５には、第１設定モードのパラメータとして、販促割合Ｒｐ１の情報が入力される。また、販促割合入力枠８６には、第２設定モードのパラメータとして、販促割合Ｒｐ２の情報が入力され、販促費入力枠８７には、第４設定モードのパラメータとして販売促進費Ｐｒの情報が入力される。
【０１０１】
チェックボックス８１を選択した場合、第１設定モードが選択され、チェックボックス８２を選択した場合、第２設定モードが選択される。また、チェックボックス８３を選択した場合、第３設定モードが選択され、チェックボックス８４を選択した場合、第４設定モードが選択される。
【０１０２】
第１設定モードでは、出品物の最低価格Ｐｍｉｎに販促割合Ｒｐ１を乗算した額が販売促進費Ｐｒとなるように設定される。かかる販促割合Ｒｐ１は、出品物の最低価格Ｐｍｉｎに対する販売促進費Ｐｒの割合である。したがって、第１設定モードでは、販売促進費Ｐｒは固定の額になる。
【０１０３】
第２設定モードでは、出品物の取引価格Ｐに販促割合Ｒｐ２を乗算した額が販売促進費Ｐｒとなるように設定される。かかる販促割合Ｒｐ２は、出品物の取引価格Ｐに対する販売促進費Ｐｒの割合である。したがって、第２設定モードでは、取引価格Ｐが下がると販売促進費Ｐｒも下がる。
【０１０４】
第３設定モードでは、出品物の開始価格Ｐｓｔａｒｔと最低価格Ｐｍｉｎとの差ΔＰｓｍに後述する一定料率Ｒｓ３を掛けた額が販売促進費Ｐｒとなるように設定される。なお、第３モードでは、販売促進費Ｐｒが最低価格Ｐｍｉｎに対して所定割合Ｒｒを乗算した額以下になるように、一定料率Ｒｓ３が制限される。これにより、出品者の売買収入を確保することができる。
【０１０５】
第４設定モードでは、販売促進費ＰｒはユーザＵによって設定された額になる。したがって、第４設定モードでは、販売促進費Ｐｒは固定の額になる。なお、チェックボックス８１〜８４のいずれか一つのみが選択可能であり、デフォルトでチェックボックス８１が選択されている。
【０１０６】
端末装置２のユーザＵは、操作部１３を操作して、販売促進設定画面８０のいずれかのチェックボックスを選択して設定モードを選択し、入力枠８５〜８７のうち選択した設定モードに対応する入力枠へパラメータ情報を入力する。その後、端末装置２のユーザＵが決定ボタン８８を選択すると、端末装置２の処理部１５は、ユーザＵによって設定された販促設定情報を含む販売促進設定要求を出品物取引処理装置１へ送信する。
【０１０７】
販促受付部４６は、端末装置２から送信される販売促進設定要求を受け付けると、販売促進設定要求に含まれる情報を出品情報テーブルに設定する。販売促進設定要求には、ユーザＵに選択された設定モードの情報と設定モードで用いる情報とが含まれる。
【０１０８】
例えば、ユーザＵが第１設定モードを選択した場合、販売促進設定要求には、第１設定モードが選択されたことを示す情報と販促割合Ｒｐ１の情報とが含まれる。また、ユーザＵが第２設定モードを選択した場合、販売促進設定要求には、第２設定モードが選択されたことを示す情報と販促割合Ｒｐ２の情報とが含まれる。
【０１０９】
なお、出品物登録画面５０に販売促進設定画面８０を含ませることもできる。これにより、出品開始時から出品物の販売促進処理をさせることができる。
【０１１０】
〔２．３．７．注目度判定部４７〕
注目度判定部４７（図４参照）は、例えば、出品情報テーブルに含まれる登録履歴、コメント履歴、閲覧履歴、シェア履歴に基づき、出品物の注目度Ｄａを判定する。例えば、注目度判定部４７は、出品物に対する登録数Ｎｅ、コメント数Ｎｃ、閲覧数Ｎｖおよびシェア回数Ｎｓに基づき、出品物の注目度Ｄａを判定することができる。
【０１１１】
注目度判定部４７は、例えば、出品物に対する登録数Ｎｅ、コメント数Ｎｃ、閲覧数Ｎｖおよびシェア回数Ｎｓにそれぞれ重み付けを行って加算した値を出品物に対する注目度Ｄａとして判定することができる。例えば、注目度判定部４７は、下記式（１）に基づいて、出品物に対する注目度Ｄａを演算することができる。なお、Ｋ１〜Ｋ４は、重み付けのための係数である。
Ｄａ＝Ｋ１×Ｎｅ＋Ｋ２×Ｎｃ＋Ｋ３×Ｎｖ＋Ｋ４×Ｎｓ      ・・・（１）
【０１１２】
また、注目度判定部４７は、出品情報テーブルに設定されたコメント数をコメント数Ｎｃとすることができ、また、出品情報テーブルに設定されたコメント数のうち、出品者のコメントを除いた数をコメント数とすることもできる。
【０１１３】
注目度判定部４７は、直近の所定期間（例えば、１時間）の登録数Ｎｅ、コメント数Ｎｃ、閲覧数Ｎｖおよびシェア回数Ｎｓに基づいて、上記式（１）を用いて注目度Ｄａを所定期間（例えば、１０分間）毎に演算することができる。
【０１１４】
また、注目度判定部４７は、取引価格Ｐの変動が無い状態での単位期間当たりの登録数Ｎｅ、コメント数Ｎｃ、閲覧数Ｎｖおよびシェア回数Ｎｓに基づいて、上記式（１）を用いて注目度Ｄａを演算することができる。単位期間は、例えば、１０分や１時間などの期間である。
【０１１５】
また、取引価格Ｐを変更したタイミングから次に取引価格Ｐが変更されるまでに発生した登録数Ｎｅ、コメント数Ｎｃ、閲覧数Ｎｖおよびシェア回数Ｎｓに基づいて、上記式（１）を用いて注目度Ｄａを所定期間毎に演算することができる。すなわち、注目度判定部４７は、ある取引価格Ｐに対する登録数Ｎｅ、コメント数Ｎｃ、閲覧数Ｎｖおよびシェア回数Ｎｓに基づいて、注目度Ｄａを演算することができる。
【０１１６】
なお、注目度判定部４７は、登録数Ｎｅ、コメント数Ｎｃ、閲覧数Ｎｖおよびシェア回数Ｎｓのうち１以上の情報に基づいて出品物に対する注目度Ｄａを演算することもできる。例えば、注目度判定部４７は、登録数Ｎｅおよび閲覧数Ｎｖにそれぞれ重み付けを行って加算した値を出品物に対する注目度Ｄａとして判定することができる。
【０１１７】
また、注目度判定部４７は、上述した情報に加えまたは代えて、出品者以外のユーザＵの出品物に対する評価を示す評価ランク（例えば、Ａランク〜Ｅランクまでの５段階のランク）を取得し、かかる評価ランクの平均値や合計値に基づいて、出品物の注目度Ｄａを判定することができる。
【０１１８】
〔２．３．８．提示順位決定部４８〕
提示順位決定部４８（図４参照）は、出品情報テーブルの情報などに基づき、出品物の提示順位Ｎｘ（ｘは自然数）を決定する。かかる提示順位決定部４８は、出品情報テーブルに出品情報が追加される毎に、出品情報テーブルに設定された出品物のうち販売促進が未設定の出品物をその出品開始日時が新しいものほど上位（小さい番号）になるように提示順位Ｎｘを決定する。
【０１１９】
また、提示順位決定部４８は、出品情報テーブルに設定された出品物のうち販売促進が設定済の出品物の提示順位Ｎｘを優先して上位にする。提示順位決定部４８は、販売促進に対する対価（対価額）である販売促進費Ｐｒが高い出品物ほど優先して提示順位Ｎｘを上位にすることができる。
【０１２０】
提示順位決定部４８は、販売促進が未設定の出品物の提示順位Ｎｘと販売促進が設定済の出品物の提示順位Ｎｘとに基づき、販売促進が未設定の出品物と販売促進が設定済の出品物とを含む各出品物の提示順位Ｎｘを決定する。
【０１２１】
例えば、販売促進が設定済の出品物に割り当てる提示順位が確保されている場合、提示順位決定部４８は、販売促進用に確保されている提示順位（以下、販売促進提示順位と記載する）を販売促進が設定済の出品物に割り当てる。例えば、提示順位Ｎ１〜Ｎ３、Ｎ１３〜Ｎ１５、Ｎ２５〜Ｎ２７、・・・といったように販売促進提示順位があるとする。
【０１２２】
この場合、提示順位決定部４８は、販売促進費Ｐｒが高い出品物ほど上位の提示順位Ｎｘに設定する。例えば、販売促進費Ｐｒが最も高い出品物の提示順位Ｎｘを提示順位Ｎ１にし、次に販売促進費Ｐｒが高い出品物の提示順位Ｎｘを提示順位Ｎ２にし、かかる処理を販売促進費Ｐｒが高い出品物から低い出品物まで繰り返す。これにより、販売促進が設定済の出品物に販売促進提示順位が割り当てられる。
【０１２３】
一方、提示順位決定部４８は、販売促進が未設定の出品物をその出品開始日時が新しいものほど上位になるように、販売促進が未設定の出品物に販売促進提示順位を除いた提示順位Ｎｘが割り当てられる。このように、提示順位決定部４８によって決定された提示順位Ｎｘに基づいて、閲覧処理部４２によって出品物一覧画面６１が生成される。
【０１２４】
図１１は、出品物一覧画面６１と表示部１２の表示との関係の一例を示す図である。図１１に示すように、出品物一覧画面６１は、提示位置Ｌ１から順に３つずつ出品物の情報が横に並び、かかる表示が下方に向かって繰り返されており、かかる出品物一覧画面６１のうち提示位置Ｌ１〜Ｌ１５が端末装置２の表示部１２に初期表示される。ユーザＵは、は出品物一覧画面６１をスクロール操作することによって、位置Ｌ１６以降の出品物を確認することができる。
【０１２５】
かかる出品物一覧画面６１では、提示順位決定部４８によって決定された提示順位Ｎｘに応じた提示位置Ｌｘで出品物の情報が表示される。例えば、提示順位Ｎ１の出品物は提示位置Ｌ１に、提示順位Ｎ２の出品物は提示位置Ｌ２に、提示順位Ｎ１５の出品物は提示位置Ｌ１５に割り当てられる。
【０１２６】
したがって、未割り当ての出品物は、提示順位Ｎ４〜Ｎ１２、Ｎ１６〜Ｎ２４、・・・に割り当てられる一方で、販売促進が設定済の出品物は、提示順位Ｎ１〜Ｎ３、Ｎ１３〜Ｎ１５、Ｎ２５〜Ｎ２７、・・・に割り当てられる。
【０１２７】
このように、販売促進が設定された出品物は、提示順位が優先して上位になることから、出品物一覧画面６１を閲覧するユーザＵの目に触れる機会が多くなるため、購入される可能性を高めることができる。また、販売促進費Ｐｒが高い出品物ほど提示順位が上位になることから、取引価格Ｐの過度な低下を抑制しつつ出品物が購入される可能性を向上させることができる。
【０１２８】
なお、提示順位決定部４８は、販売促進費Ｐｒの高い出品物ほど高い頻度（割合）で販売促進提示順位が割り当てられるようにすることもできる。例えば、提示順位決定部４８は、販売促進が設定された出品物の数よりも販売促進提示順位を割り当てることができる数が少ない場合、販売促進費Ｐｒの高さに応じた頻度で販売促進提示順位を割り当てる。この場合、提示順位決定部４８は、販売促進費Ｐｒが高い出品物ほど高い提示順位Ｎｘを割り当てることができる。
【０１２９】
また、この場合、提示順位決定部４８は、販売促進が設定された出品物のうち販売促進提示順位に割り当てられない出品物については、販売促進が未設定の出品物と共に出品開始時間が新しいほど提示順位Ｎｘが上位になるように販売促進提示順位以外の提示順位Ｎｘを割り当てる。
【０１３０】
また、提示順位決定部４８は、販売促進が設定された出品物の提示順位Ｎｘを、販売促進費Ｐｒの高さに加え、注目度Ｄａ（出品物注目度パラメータの一例）が高い出品物ほど高い提示順位Ｎｘを割り当てることもできる。例えば、提示順位決定部４８は、販売促進費Ｐｒの高さに基づいて提示順位Ｎｘを仮決定し、仮決定した提示順位Ｎｘを注目度Ｄａが高いほど繰り上げて提示順位Ｎｘを本決定することができる。
【０１３１】
また、同様に、提示順位決定部４８は、販売促進が設定された出品物の提示順位Ｎｘを、販売促進費Ｐｒの高さに加え、取引価格Ｐの下げ幅ΔＰ１（出品物価格パラメータの一例）が高い出品物ほど高い提示順位Ｎｘを割り当てることもできる。例えば、提示順位決定部４８は、販売促進費Ｐｒの高さに基づいて提示順位Ｎｘを仮決定し、仮決定した提示順位Ｎｘを下げ幅ΔＰ１が高いほど繰り上げて提示順位Ｎｘを本決定することができる。なお、ここでいう、下り幅ΔＰ１は、例えば、最新の下り幅ΔＰ、所定期間における取引価格Ｐの下り幅、または、開始価格Ｐｓｔａｒｔからの下り幅である。
【０１３２】
また、同様に、提示順位決定部４８は、販売促進が設定された出品物の提示順位Ｎｘを、販売促進費Ｐｒの高さに加え、取引価格Ｐ（出品物価格パラメータの一例）に基づいて決定することもできる。例えば、提示順位決定部４８は、販売促進費Ｐｒの高さに加え、取引価格Ｐ（現在価格）がその出品物の相場価格（または相場価格帯）より低いほど高い提示順位Ｎｘを割り当てることもできる。この場合、提示順位決定部４８は、例えば、販売促進費Ｐｒの高さに基づいて提示順位Ｎｘを仮決定し、仮決定した提示順位Ｎｘを取引価格Ｐ（現在価格）がその出品物の相場価格（または相場価格帯）より低いほど繰り上げて提示順位Ｎｘを本決定することができる。
【０１３３】
また、提示順位決定部４８は、例えば、出品情報テーブルに基づいて、同一商品の平均取引価格や平均購入価格を出品物の相場価格として判定することができる。同一商品の平均取引価格は、関連出品物の現時点での取引価格の平均値であり、同一商品の平均購入価格は、同一商品が購入されたときの取引価格Ｐの平均値である。なお、相場価格判定部７４は、外部サーバから出品物の相場価格や相場価格帯を取得することもできる。また、同一商品がない場合には類似の商品の相場価格を出品物の相場価格として判定したり取得したりすることもできる。
【０１３４】
また、提示順位決定部４８は、販売促進が設定された出品物の提示順位Ｎｘを、販売促進費Ｐｒの高さに加え、出品者パラメータや出品物種類パラメータに基づいて決定することもできる。出品者パラメータは、例えば、出品者スコアであり、出品物種類パラメータは、出品物種類スコアである。
【０１３５】
提示順位決定部４８は、販売促進費Ｐｒの高さに加え、販売促進が設定された出品物の提示順位Ｎｘを、販売促進費Ｐｒの高さに加え、出品者スコアが高い出品物ほど高い提示順位Ｎｘにし、出品物種類スコアが高い出品物ほど高い提示順位Ｎｘにすることもできる。例えば、提示順位決定部４８は、販売促進費Ｐｒの高さに基づいて提示順位Ｎｘを仮決定し、仮決定した提示順位Ｎｘを出品者スコアや出品物種類スコアが高いほど繰り上げ、提示順位Ｎｘを本決定することができる。
【０１３６】
出品者スコアは、出品者毎に算出されるスコアであり、出品者に対する購入者の評価、出品者の出品物が購入された確率、および、出品者の出品物が出品されてから購入されるまでの出品開始時からの平均経過時間（以下、平均出品時間と記載する）のうち少なくとも一つから算出される。かかる出品物スコアは、提示順位決定部４８によって算出され、例えば、出品者に対する購入者の評価が高いほど、出品者の出品物が購入された確率が高いほど、平均出品時間が短いほど高くなる。
【０１３７】
また、出品物種類スコアは、出品物の種類毎に算出されるスコアであり、購入される確率、平均出品時間、および、過去の平均同時出品数に対する現在の平均同時出品数の少なくとも一つから算出される。平均同時出品数は、同時に出品されている同種の出品物の数である。また、「出品物の種類」は、例えば、商品の型番、商品の一般名称、または、商品のカテゴリでグループ化された種類である。かかる出品物種類スコアは、提示順位決定部４８によって算出され、例えば、購入される確率が高いほど、平均出品時間が短いほど、過去の平均同時出品数に対する現在の平均同時出品数が少ないほど高くなる。
【０１３８】
このように、提示順位決定部４８は、販売促進費Ｐｒの高さに加え、出品物注目度パラメータ、出品物価格パラメータ、出品者パラメータおよび出品物種類パラメータのうち少なくとも一つ以上のパラメータを用いて販売促進が設定された出品物の提示順位Ｎｘを決定することができる。
【０１３９】
また、上述の例では、販売促進提示順位が設定されている例を示したが、提示順位決定部４８は、販売促進提示順位を設けずに、販売促進が設定された出品物の提示順位Ｎｘを割り当てることもできる。
【０１４０】
例えば、提示順位決定部４８は、販売促進が設定された出品物に対し、例えば、販売促進費Ｐｒに比例して上位になる提示順位Ｎｘを決定し、また、提示順位決定部４８は、販売促進が未設定の出品物に対し、出品開始日時が新しいものほど上位になるように提示順位Ｎｘを決定する。
【０１４１】
そして、提示順位決定部４８は、販売促進が未設定の出品物と販売促進が設定済の出品物とを含む複数の出品物を提示順位Ｎｘが最上位から順に最下位まで並べ、提示順位Ｎｘが上位の出品物ほど提示順位Ｎｘが上位になるように提示順位Ｎｘを再割り当てする。
【０１４２】
提示順位決定部４８は、再割り当て前の状態で販売促進が未設定の出品物と販売促進が設定済の出品物とで同一提示順位Ｎｘがある場合、販売促進が設定済の出品物を販売促進が未設定の出品物よりも上位の提示順位Ｎｘに再割り当てすることができる。
【０１４３】
ここで、販売促進費Ｐｒについて説明する。提示順位決定部４８は、販売促進が第１設定モードに設定されている出品物の販売促進費Ｐｒを下記式（２）の演算によって求めることができる。下記式（２）において、「Ｐｍｉｎ」は、出品物の最低価格Ｐｍｉｎであり、「Ｒｐ１」は、販促割合Ｒｐ１である。
Ｐｒ＝Ｐｍｉｎ×Ｒｐ１      ・・・（２）
【０１４４】
このように、販売促進が第１設定モードに設定されている場合、最低価格Ｐｍｉｎと販促割合Ｒｐ１との乗算結果が販売促進費Ｐｒになる。そのため、取引価格Ｐが下がることによって販売促進費Ｐｒが下がることがなく、販売促進費Ｐｒを一定にすることができる。したがって、取引価格Ｐの低下によってユーザＵの目に触れる機会が少なくなることを防止することができる。
【０１４５】
提示順位決定部４８は、販売促進が第２設定モードに設定されている出品物の販売促進費Ｐｒを下記式（３）の演算によって求めることができる。下記式（３）において、「Ｐ」は、出品物の取引価格Ｐ（図６に示す現在価格）であり、「Ｒｐ２」は、販促割合Ｒｐ２である。
Ｐｒ＝Ｐ×Ｒｐ２      ・・・（３）
【０１４６】
このように、販売促進が第２設定モードに設定されている場合、取引価格Ｐと販促割合Ｒｐ２との乗算結果が販売促進費Ｐｒになる。そのため、取引価格Ｐが下がることによって販売促進費Ｐｒが下がるが、取引価格Ｐに対する販売促進費Ｐｒを一定の割合にすることができ、取引価格Ｐに対して販売促進費Ｐｒが大きくなり過ぎることを抑制することができる。
【０１４７】
提示順位決定部４８は、販売促進が第３設定モードに設定されている出品物の販売促進費Ｐｒを下記式（４）の演算によって求めることができる。下記式（４）において、「Ｐｓｔａｒｔ」は、出品物の開始価格Ｐｓｔａｒｔであり、「Ｐｍｉｎ」は、出品物の最低価格Ｐｍｉｎであり、「Ｒｐ３」は、係数（一定料率）であり、１よりも小さい値である。
Ｐｒ＝Ｒｐ３×（Ｐｓｔａｒｔ−Ｐｍｉｎ）      ・・・（４）
【０１４８】
このように、販売促進が第３設定モードに設定されている場合、開始価格Ｐｓｔａｒｔと最低価格Ｐｍｉｎとの差ΔＰｓｍ（＝Ｐｓｔａｒｔ−Ｐｍｉｎ）に一定料率Ｒｐ３を乗算した結果が販売促進費Ｐｒになる。そのため、取引価格Ｐが下がることによって販売促進費Ｐｒが下がることがなく、販売促進費Ｐｒを一定にすることができる。
【０１４９】
したがって、取引価格Ｐの低下によってユーザＵの目に触れる機会が少なくなることを防止することができる。また、開始価格Ｐｓｔａｒｔと最低価格Ｐｍｉｎとの差ΔＰｓｍが大きいほど販売促進費Ｐｒが大きくなり、ユーザＵの目に触れる機会が多くなるため、例えば、最低価格Ｐｍｉｎを低く設定する動機づけになり、出品物の取引を活発化することができる。
【０１５０】
提示順位決定部４８は、販売促進が第４設定モードに設定されている出品物の販売促進費Ｐｒは、販売促進設定要求に含まれる販売促進費Ｐｒとする。このように、販売促進が第４設定モードに設定されている場合、販売促進費Ｐｒは、ユーザＵによって指定される。そのため、ユーザＵは、自身が支払う販売促進費Ｐｒを明確に把握することができる。
【０１５１】
なお、上述では、出品開始日時が新しい出品物ほど提示順位が上位になる新着順の提示順位に販売促進が設定された出品物を優先的に上位の提示順位に設定する例について説明したが、かかる例に限定されない。例えば、提示順位決定部４８は、出品開始日時が古いほど提示順位が上位になる旧着順の提示順位に販売促進が設定された出品物を上位の提示順位に割り込むこともできる。
【０１５２】
また、提示順位決定部４８は、出品情報テーブルの注目度Ｄａが更新される毎に、出品情報テーブルに設定された注目度Ｄａが高いまたは低い出品物ほど提示順位Ｎｘが上位になるように出品物の提示順位Ｎｘを決定することができる。
【０１５３】
この場合も、提示順位決定部４８は、上述の処理と同様に、販売促進が未設定の出品物の提示順位Ｎｘと販売促進が設定済の出品物の提示順位Ｎｘとに基づき、販売促進が未設定の出品物と販売促進が設定済の出品物とを含む各出品物の提示順位Ｎｘを決定することができる。
【０１５４】
これにより、注目度Ｄａが高いまたは低い出品物ほど提示順位Ｎｘが上位になる価格順の提示順位に販売促進が設定された出品物を優先的に上位の提示順位Ｎｘに設定することができる。
【０１５５】
また、提示順位決定部４８は、出品情報テーブルの取引価格Ｐ（現在価格）が更新される毎に、出品情報テーブルに設定された取引価格Ｐが高いまたは低い出品物ほど提示順位Ｎｘが上位になるように出品物の提示順位Ｎｘを決定することができる。
【０１５６】
この場合も、提示順位決定部４８は、上述の処理と同様に、販売促進が未設定の出品物の提示順位Ｎｘと販売促進が設定済の出品物の提示順位Ｎｘとに基づき、販売促進が未設定の出品物と販売促進が設定済の出品物とを含む各出品物の提示順位Ｎｘを決定することができる。
【０１５７】
これにより、取引価格Ｐが高いまたは低い出品物ほど提示順位Ｎｘが上位になる価格順の提示順位に販売促進が設定された出品物が優先的に上位の提示順位Ｎｘに設定することができる。
【０１５８】
なお、提示順位決定部４８は、販売促進が設定されている出品物を、販売促進が未設定である出品物として提示順位Ｎｘを割り当てた方が提示順位Ｎｘが高くなる場合には、販売促進が未設定である出品物として提示順位Ｎｘを割り当てることもできる。
【０１５９】
〔２．３．９．通知部４９〕
通知部４９（図４参照）は、販売促進が未設定の各出品物の注目度Ｄａに応じて販売促進の設定の提案を各出品物の出品者のユーザＵへ行うことができる。例えば、通知部４９は、出品物の注目度Ｄａが所定値以上である場合に、図１２に示すような通知画面９０の情報を端末装置２へ送信することができる。図１２は、端末装置２に表示される通知画面９０の一例を示す図である。
【０１６０】
図１２に示すように、販売促進の設定の提案を示す情報と、提案を受け入れるかどうかを決定するためのＹｅｓボタン９１およびＮｏボタン９２が表示される。端末装置２のユーザＵは、Ｙｅｓボタン９１を操作することで、端末装置２から販売促進要求が出品物取引処理装置１へ送信される。販促受付部４６（図４参照）は、端末装置２からの販売促進要求を受け付け、かかる販売促進要求に応じて、販売促進設定画面８０の情報を端末装置２へ送信する。
【０１６１】
これにより、出品物取引処理装置１は、出品物の注目度Ｄａが高いため購入される可能性が高い出品物が上位に表示されるように出品物一覧画面６１などを生成するため、出品物の購入の可能性を高めることができる。なお、通知部４９は、例えば、出品物の注目度Ｄａが所定値以下である場合に通知画面９０の情報を端末装置２へ送信することができる。これにより、出品物の注目度Ｄａを高め、出品物の購入の可能性を高めることができる。
【０１６２】
また、通知部４９は、例えば、出品開始日時からの経過時間が所定時間以上である場合に通知画面９０の情報を端末装置２へ送信することができ、また、注目度Ｄａの変動が所定値以上である場合に通知画面９０の情報を端末装置２へ送信することができる。
【０１６３】
〔３．出品物取引処理装置１の処理フロー〕
図１３を用いて、出品物取引処理装置１における情報処理の手順の一例について説明する。図１３は、出品物取引処理装置１における情報処理の流れの一例を示すフローチャートである。
【０１６４】
図１３に示すように、制御部２２は、端末装置２から出品物の出品に関する要求（例えば、出品要求、追加設定要求、設定解除要求、販売促進要求、販売促進設定要求など）を受け付けたか否かを判定する（ステップＳ１０）。出品物の出品に関する要求を受け付けたと判定した場合（ステップＳ１０；Ｙｅｓ）、制御部２２は、要求に対応する処理を行う（ステップＳ１１）。例えば、制御部２２は、端末装置２からの出品要求に対して出品物の出品に関する処理を行い、販売促進設定要求に対して販売促進の設定処理を行う。
【０１６５】
出品物の出品に関する要求を受け付けていないと判定した場合（ステップＳ１０；Ｎｏ）、または、ステップＳ１１の処理が終了した場合、制御部２２は、出品情報テーブルに設定されている情報に基づいて、各出品物の注目度Ｄａの判定を行う（ステップＳ１２）。制御部２２は、例えば、出品情報テーブルに含まれる各出品物に対する登録数Ｎｅ、コメント数Ｎｃ、閲覧数Ｎｖおよびシェア回数Ｎｓに基づき、出品物の注目度Ｄａを判定する。
【０１６６】
また、制御部２２は、出品物の提示順位を決定する（ステップＳ１３）。かかるステップＳ１３の処理は、図１４に示すステップＳ２１〜Ｓ２４の処理であり、後で詳述する。
【０１６７】
ステップＳ１３の処理が終了した場合、制御部２２は、端末装置２から一覧要求があるか否かを判定する（ステップＳ１４）。一覧要求があると判定した場合（ステップＳ１４；Ｙｅｓ）、制御部２２は、ステップＳ１３で決定した出品物の提示順位Ｎｘに基づいて一覧要求に対応する出品物一覧画面６１の情報を生成する（ステップＳ１５）。出品物一覧画面６１の情報を生成した後、制御部２２は、生成した出品物一覧画面６１の情報を要求元の端末装置２へ送信する（ステップＳ１６）。
【０１６８】
一覧要求がないと判定した場合（ステップＳ１４；Ｎｏ）、または、ステップＳ１６の処理が終了した場合、制御部２２は、価格変更タイミングであるか否かを判定する（ステップＳ１７）。制御部２２は、例えば、取引価格Ｐの下げ間隔ΔＴが到来した場合に、価格変更のタイミングであると判定する。かかるステップＳ１５の処理は、取引価格変更部４５によって実行される。
【０１６９】
価格変更タイミングであると判定した場合（ステップＳ１７；Ｙｅｓ）、制御部２２は、価格変更処理を行う（ステップＳ１８）。かかる価格変更処理は、上述した取引価格変更部４５によって実行される処理であり、例えば、取引価格Ｐの変更を行うか否かの判定処理、取引価格Ｐの下げ幅ΔＰの判定処理、および、取引価格Ｐの更新処理などが行われる。
【０１７０】
価格変更タイミングではないと判定した場合（ステップＳ１７；Ｎｏ）、または、ステップＳ１８の処理が終了した場合、制御部２２は、その他の処理を行う（ステップＳ１９）。例えば、制御部２２は、ステップＳ１９において、閲覧処理部４２による上述した他の処理や登録処理部４３や購入処理部４４による処理を実行することができる。
【０１７１】
図１４は、図１３に示すステップＳ１３の処理の一例を示す図である。図１４に示すように、制御部２２は、出品情報テーブルに基づき、販売促進が設定されている各出品物の販売促進費を判定する（ステップＳ２１）。次に、制御部２２は、ステップＳ２１で判定した各出品物の販売促進費に基づき各出品物の提示順位を決定する（ステップＳ２２）。
【０１７２】
また、制御部２２は、販売促進が未設定の各出品物の提示順位を決定する（ステップＳ２３）。そして、制御部２２は、ステップＳ２２によって決定された販売促進が設定されている各出品物の提示順位と、ステップＳ２３によって決定された販売促進が未設定の各出品物の提示順位とに基づき、販売促進が未設定の出品物と販売促進が設定されている出品物とを含む各出品物の提示順位を決定する（ステップＳ２４）。
【０１７３】
〔４．変形例〕
上述した実施形態では、販売促進費ＰｒがユーザＵの設定に応じた額になる例を説明したが、販売促進費Ｐｒは一律であってもよい。この場合、提示順位決定部４８は、例えば、販売促進提示順位をランダムまたは所定の規則に従って販売促進が設定されている出品物の提示順位Ｎｘを決定することができ、また、販売促進が設定されている出品物の提示順位Ｎｘをランダムまたは所定の規則に従った頻度で販売促進提示順位を割り当てることもできる。
【０１７４】
また、制御部２２は、販売促進が設定されている出品物に対する販売促進の処理を、出品開始直後から行うこともできるが、出品開始から所定期間経過後に行うこともできる。
【０１７５】
また、上述の実施形態では、販売促進に対する対価を販売促進費Ｐｒとしたが、販売促進に対する対価は、例えば、アンケートへの回答や商品のモニターなどであってもよい。
【０１７６】
〔５．ハードウェア構成〕
上述した実施形態における出品物取引処理装置１および端末装置２は、それぞれ例えば図１５に示すような構成のコンピュータ２００がプログラムを実行することによって実現される。
【０１７７】
図１５は、プログラムを実行するコンピュータのハードウェア構成の一例を示す図である。コンピュータ２００は、ＣＰＵ２０１、ＲＡＭ２０２、ＲＯＭ２０３、ＨＤＤ２０４、通信インターフェイス（Ｉ／Ｆ）２０５、入出力インターフェイス（Ｉ／Ｆ）２０６、およびメディアインターフェイス（Ｉ／Ｆ）２０７を備える。
【０１７８】
ＣＰＵ２０１は、ＲＯＭ２０３またはＨＤＤ２０４に格納されたプログラムに基づいて動作し、各部の制御を行う。ＲＯＭ２０３は、コンピュータ２００の起動時にＣＰＵ２０１によって実行されるブートプログラムや、コンピュータ２００のハードウェアに依存するプログラム等を格納する。
【０１７９】
ＨＤＤ２０４は、ＣＰＵ２０１によって実行されるプログラムによって使用されるデータ等を格納する。通信インターフェイス２０５は、各通信部１０、２０に対応し、ネットワーク３を介して他の機器からデータを受信してＣＰＵ２０１へ送り、ＣＰＵ２０１が生成したデータを、ネットワーク３を介して他の機器へ送信する。
【０１８０】
ＣＰＵ２０１は、入出力インターフェイス２０６を介して、ディスプレイやプリンタ等の出力装置、および、キーボードやマウス等の入力装置を制御する。ＣＰＵ２０１は、入出力インターフェイス２０６を介して、入力装置からデータを取得する。また、ＣＰＵ２０１は、生成したデータを、入出力インターフェイス２０６を介して出力装置へ出力する。
【０１８１】
メディアインターフェイス２０７は、記録媒体２０８に格納されたプログラムまたはデータを読み取り、ＲＡＭ２０２を介してＣＰＵ２０１に提供する。ＣＰＵ２０１は、当該プログラムを、メディアインターフェイス２０７を介して記録媒体２０８からＲＡＭ２０２上にロードし、ロードしたプログラムを実行する。記録媒体２０８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１８２】
コンピュータ２００のＣＰＵ２０１は、ＲＡＭ２０２上にロードされたプログラムを実行することにより、上述した制御部（制御部１１または制御部２２）の各機能を実現する。また、かかる制御部は、それぞれ一部または全部がハードウェアのみで構成されてもよい。
【０１８３】
コンピュータ２００のＣＰＵ２０１は、プログラムを、記録媒体２０８から読み取って実行するが、他の例として、他の装置から、ネットワーク３を介してこれらのプログラムを取得してもよい。なお、ＨＤＤ２０４は、各記憶部１４、２１に対応し、各記憶部１４、２１と同様のデータを記憶する。また、ＨＤＤ２０４に代えて、ＲＡＭ、フラッシュメモリ等の半導体メモリ素子、または、光ディスク等の記憶装置を用いてもよい。
【０１８４】
〔６．効果〕
実施形態に係る出品物取引処理装置１は、出品受付部４１（第１受付部の一例）と、取引価格変更部４５と、販促受付部４６（第２受付部の一例）と、提示順位決定部４８とを備える。出品受付部４１は、出品物の取引価格の設定を受け付ける。取引価格変更部４５は、設定された取引価格を段階的に下げる。販促受付部４６は、出品物の販売促進の設定を受け付ける。提示順位決定部４８は、販売促進が設定された出品物の提示順位を優先して上位にする。これにより、取引価格Ｐの過度な低下を抑制しつつ出品物が購入される可能性を向上させることができる。
【０１８５】
また、閲覧処理部４２（配信部の一例）は、提示順位決定部４８によって決定された提示順位で出品物の情報（例えば、出品物一覧画面）を端末装置２へ配信したり、提示順位決定部４８によって決定された提示順位の情報を端末装置２へ配信したりすることができる。これにより、販売促進が設定された出品物が優先して上位の提示順位にして端末装置２のユーザＵに提示できることから、取引価格Ｐの過度な低下を抑制しつつ出品物が購入される可能性を向上させることができる。
【０１８６】
取引価格変更部４５は、提示順位決定部４８によって提示順位が優先して上位になっている出品物の取引価格Ｐを下げる処理を停止または取引価格Ｐの下げ幅を低減する。これにより、取引価格Ｐの低下や低下度合いを抑えることができ、出品者の利益が低下してしまうことを抑制することができる。
【０１８７】
提示順位決定部４８は、販売促進に対する対価（例えば、販売促進費Ｐｒ）が高いほど提示順位を優先して上位にする。これにより、販売を急ぐ出品者は、販売促進に対する対価を高くすることによって出品物が購入される可能性を高くすることができる。
【０１８８】
出品受付部４１は、取引価格Ｐの開始価格Ｐｓｔａｒｔと最低価格Ｐｍｉｎの設定を受け付ける。取引価格変更部４５は、開始価格Ｐｓｔａｒｔから段階的に最低価格Ｐｍｉｎまで取引価格Ｐを下げる。販促受付部４６は、取引価格Ｐまたは最低価格Ｐｍｉｎに対する販売促進費Ｐｒを示す販促割合を受け付ける。提示順位決定部４８は、取引価格Ｐまたは最低価格Ｐｍｉｎと販促割合Ｒｐ１、Ｒｐ２との乗算結果に基づいて販売促進費Ｐｒ（販売促進に対する対価の一例）を決定する。最低価格Ｐｍｉｎと販促割合Ｒｐ１との乗算結果を販売促進費Ｐｒにすることで、取引価格Ｐが下がることによって販売促進費Ｐｒが下がることがなく、販売促進費Ｐｒを一定にすることができる。また、取引価格Ｐと販促割合Ｒｐ２との乗算結果を販売促進費Ｐｒにすることで、取引価格Ｐが下がることによって販売促進費Ｐｒが下がるが、取引価格Ｐに対する販売促進費Ｐｒを一定の割合にでき、取引価格Ｐに対して販売促進費Ｐｒが大きくなり過ぎることを抑制できる。
【０１８９】
出品受付部４１は、取引価格Ｐの開始価格Ｐｓｔａｒｔと最低価格Ｐｍｉｎの設定を受け付ける。取引価格変更部４５は、開始価格Ｐｓｔａｒｔから段階的に最低価格Ｐｍｉｎまで取引価格Ｐを下げる。提示順位決定部４８は、開始価格Ｐｓｔａｒｔと最低価格Ｐｍｉｎとの差に基づいて販売促進費Ｐｒを決定する。これにより、取引価格Ｐが下がることによって販売促進費Ｐｒが下がることがなく、販売促進費Ｐｒを一定にすることができ、また、最低価格Ｐｍｉｎを低く設定する動機づけになり、出品物の取引を活発化することができる。
【０１９０】
また、出品物取引処理装置１は、販売促進が設定されていない出品物の出品者に対して販売促進の設定を促す情報を通知する通知部４９を備える。これにより、ユーザＵに販売促進の設定機会を与えることができ、購入の可能性を高める機会を増やすことができる。
【０１９１】
また、出品物取引処理装置１は出品物に対する注目度Ｄａを判定する注目度判定部４７を備える。通知部４９は、注目度判定部４７によって判定された注目度Ｄａが所定条件（例えば、注目度Ｄａが所定値以上または所定値以下）である出品物の出品者に対して販売促進の設定を促す情報を通知する。これにより、例えば、出品物の注目度Ｄａが高いため購入される可能性が高い出品物が上位に表示されるように出品物一覧画面６１などを生成するため、出品物の購入の可能性を高めることができる。
【０１９２】
提示順位決定部４８は、出品開始日時が新しい出品物ほど提示順位Ｎｘを上位にしつつ、販売促進に対する対価が高いほど提示順位Ｎｚを優先的に上位に繰り上げる。これにより、時間の経過と共に、出品物の提示順位Ｎｘが下位になる場合に、提示順位Ｎｘを上位にすることができ、出品物の購入の可能性を高めることができる。
【０１９３】
上述した出品物取引処理装置１は、それぞれ複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【０１９４】
また、上記してきた「部（section、module、unit）」は、「手段」や「回路」などに読み替えることができる。例えば、提示順位決定部は、提示順位決定手段や提示順位決定回路に読み替えることができる。
【０１９５】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１９６】
１  出品物取引処理装置
２２  制御部
４１  出品受付部（第１受付部の一例）
４２  閲覧処理部（配信部の一例）
４３  登録処理部
４４  購入処理部
４５  取引価格変更部
４６  販促受付部（第２受付部の一例）
４７  注目度判定部
４８  提示順位決定部
４９  通知部
【図１】
2018049372.tif 000003
【図２】
2018049372.tif 000004
【図３】
2018049372.tif 000005
【図４】
2018049372.tif 000006
【図５】
2018049372.tif 000007
【図６】
2018049372.tif 000008
【図７】
2018049372.tif 000009
【図８】
2018049372.tif 000010
【図９】
2018049372.tif 000011
【図１０】
2018049372.tif 000012
【図１１】
2018049372.tif 000013
【図１２】
2018049372.tif 000014
【図１３】
2018049372.tif 000015
【図１４】
2018049372.tif 000016
【図１５】
2018049372.tif 000017
【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
出品物の取引価格の設定を受け付ける第１受付部と、
前記設定された取引価格を段階的に下げる取引価格変更部と、
前記出品物の販売促進の設定を受け付ける第２受付部と、
前記販売促進が設定された出品物の提示順位を優先して上位にする提示順位決定部と、を備え、
前記取引価格変更部は、
前記提示順位決定部によって提示順位が優先して上位になっている出品物の前記取引価格を下げる処理を停止または前記取引価格の下げ幅を低減する
ことを特徴とする出品物取引処理装置。
【請求項２】
出品物の取引価格の設定を受け付ける第１受付部と、
前記設定された取引価格を段階的に下げる取引価格変更部と、
前記出品物の販売促進の設定を受け付ける第２受付部と、
前記販売促進が設定された出品物の提示順位を優先して上位にする提示順位決定部と、を備え、
前記提示順位決定部は、
前記販売促進に対する対価が高いほど前記提示順位を優先して上位にし、
前記第１受付部は、
前記取引価格の開始価格と最低価格の設定を受け付け、
前記取引価格変更部は、
前記開始価格から段階的に前記最低価格まで前記取引価格を下げ、
前記提示順位決定部は、
前記開始価格と前記最低価格との差に基づいて前記販売促進に対する対価を決定する
ことを特徴とする出品物取引処理装置。
【請求項３】
出品物の取引価格の設定を受け付ける第１受付部と、
前記設定された取引価格を段階的に下げる取引価格変更部と、
前記出品物の販売促進の設定を受け付ける第２受付部と、
前記販売促進が設定された出品物の提示順位を優先して上位にする提示順位決定部と、
前記販売促進が設定されていない出品物の出品者に対して前記販売促進の設定を促す情報を通知する通知部と、を備える
ことを特徴とする出品物取引処理装置。
【請求項４】
出品物の取引価格の設定を受け付ける第１受付部と、
前記設定された取引価格を段階的に下げる取引価格変更部と、
前記出品物の販売促進の設定を受け付ける第２受付部と、
前記販売促進が設定された出品物の提示順位を優先して上位にする提示順位決定部と、を備え、
前記提示順位決定部は、
出品開始日時が新しい出品物ほど前記提示順位を上位にしつつ、前記販売促進に対する対価が高いほど前記提示順位を優先的に上位に繰り上げる
ことを特徴とする出品物取引処理装置。 
【請求項５】
前記提示順位決定部によって決定された提示順位で前記出品物の情報を配信する配信部を備える
ことを特徴とする請求項１〜４のいずれか一つに記載の出品物取引処理装置。
【請求項６】
前記提示順位決定部によって決定された提示順位の情報を配信する配信部を備える
ことを特徴とする請求項１〜４のいずれか一つに記載の出品物取引処理装置。
【請求項７】
前記提示順位決定部は、
前記販売促進に対する対価が高いほど前記提示順位を優先して上位にする
ことを特徴とする請求項１，３，および４のいずれか一つに記載の出品物取引処理装置。 
【請求項８】
前記第１受付部は、
前記取引価格の開始価格と最低価格の設定を受け付け
前記取引価格変更部は、
前記開始価格から段階的に前記最低価格まで前記取引価格を下げ、
前記第２受付部は、
前記取引価格または前記最低価格に対する販売促進費を示す販促割合を受け付け、
前記提示順位決定部は、
前記取引価格または前記最低価格と前記販促割合との乗算結果に基づいて前記販売促進に対する対価を決定する
ことを特徴とする請求項７に記載の出品物取引処理装置。 
【請求項９】
前記出品物に対する注目度を判定する注目度判定部を備え、
前記通知部は、
前記注目度判定部によって判定された前記注目度が所定条件を満たす場合に、出品物の出品者に対して前記販売促進の設定を促す情報を通知する
ことを特徴とする請求項３に記載の出品物取引処理装置。 
【請求項１０】
コンピュータが実行する出品物取引処理方法であって、
出品物の取引価格の設定を受け付ける第１受付工程と、
前記設定された取引価格を段階的に下げる取引価格変更工程と、
前記出品物の販売促進の設定を受け付ける第２受付工程と、
前記販売促進が設定された出品物の提示順位を優先して上位にする提示順位決定工程と、を含み、
前記取引価格変更工程は、
前記提示順位決定工程によって提示順位が優先して上位になっている出品物の前記取引価格を下げる処理を停止または前記取引価格の下げ幅を低減する
ことを特徴とする出品物取引処理方法。
【請求項１１】
コンピュータが実行する出品物取引処理方法であって、
出品物の取引価格の設定を受け付ける第１受付工程と、
前記設定された取引価格を段階的に下げる取引価格変更工程と、
前記出品物の販売促進の設定を受け付ける第２受付工程と、
前記販売促進が設定された出品物の提示順位を優先して上位にする提示順位決定工程と、を含み、
前記提示順位決定工程は、
前記販売促進に対する対価が高いほど前記提示順位を優先して上位にし、
前記第１受付工程は、
前記取引価格の開始価格と最低価格の設定を受け付け、
前記取引価格変更工程は、
前記開始価格から段階的に前記最低価格まで前記取引価格を下げ、
前記提示順位決定工程は、
前記開始価格と前記最低価格との差に基づいて前記販売促進に対する対価を決定する
ことを特徴とする出品物取引処理方法。
【請求項１２】
コンピュータが実行する出品物取引処理方法であって、
出品物の取引価格の設定を受け付ける第１受付工程と、
前記設定された取引価格を段階的に下げる取引価格変更工程と、
前記出品物の販売促進の設定を受け付ける第２受付工程と、
前記販売促進が設定された出品物の提示順位を優先して上位にする提示順位決定工程と、
前記販売促進が設定されていない出品物の出品者に対して前記販売促進の設定を促す情報を通知する通知工程と、を含む
ことを特徴とする出品物取引処理方法。
【請求項１３】
コンピュータが実行する出品物取引処理方法であって、
出品物の取引価格の設定を受け付ける第１受付工程と、
前記設定された取引価格を段階的に下げる取引価格変更工程と、
前記出品物の販売促進の設定を受け付ける第２受付工程と、
前記販売促進が設定された出品物の提示順位を優先して上位にする提示順位決定工程と、を含み、
前記提示順位決定工程は、
出品開始日時が新しい出品物ほど前記提示順位を上位にしつつ、前記販売促進に対する対価が高いほど前記提示順位を優先的に上位に繰り上げる
ことを特徴とする出品物取引処理方法。
【請求項１４】
出品物の取引価格の設定を受け付ける第１受付手順と、
前記設定された取引価格を段階的に下げる取引価格変更手順と、
前記出品物の販売促進の設定を受け付ける第２受付手順と、
前記販売促進が設定された出品物の提示順位を優先して上位にする提示順位決定手順と、
をコンピュータに実行させ、
前記取引価格変更手順は、
前記提示順位決定手順によって提示順位が優先して上位になっている出品物の前記取引価格を下げる処理を停止または前記取引価格の下げ幅を低減する
ことを特徴とする出品物取引処理プログラム。
【請求項１５】
出品物の取引価格の設定を受け付ける第１受付手順と、
前記設定された取引価格を段階的に下げる取引価格変更手順と、
前記出品物の販売促進の設定を受け付ける第２受付手順と、
前記販売促進が設定された出品物の提示順位を優先して上位にする提示順位決定手順と、をコンピュータに実行させ、
前記提示順位決定手順は、
前記販売促進に対する対価が高いほど前記提示順位を優先して上位にし、
前記第１受付手順は、
前記取引価格の開始価格と最低価格の設定を受け付け、
前記取引価格変更手順は、
前記開始価格から段階的に前記最低価格まで前記取引価格を下げ、
前記提示順位決定手順は、
前記開始価格と前記最低価格との差に基づいて前記販売促進に対する対価を決定する
ことを特徴とする出品物取引処理プログラム。
【請求項１６】
出品物の取引価格の設定を受け付ける第１受付手順と、
前記設定された取引価格を段階的に下げる取引価格変更手順と、
前記出品物の販売促進の設定を受け付ける第２受付手順と、
前記販売促進が設定された出品物の提示順位を優先して上位にする提示順位決定手順と、
前記販売促進が設定されていない出品物の出品者に対して前記販売促進の設定を促す情報を通知する通知手順と、をコンピュータに実行させる
ことを特徴とする出品物取引処理プログラム。
【請求項１７】
出品物の取引価格の設定を受け付ける第１受付手順と、
前記設定された取引価格を段階的に下げる取引価格変更手順と、
前記出品物の販売促進の設定を受け付ける第２受付手順と、
前記販売促進が設定された出品物の提示順位を優先して上位にする提示順位決定手順と、をコンピュータに実行させ、
前記提示順位決定手順は、
出品開始日時が新しい出品物ほど前記提示順位を上位にしつつ、前記販売促進に対する対価が高いほど前記提示順位を優先的に上位に繰り上げる
ことを特徴とする出品物取引処理プログラム。
【手続補正２】
【補正対象書類名】明細書
【補正対象項目名】０００７
【補正方法】変更
【補正の内容】
【０００７】
本願に係る出品物取引処理装置は、第１受付部と、取引価格変更部と、第２受付部と、提示順位決定部とを備える。前記第１受付部は、出品物の取引価格の設定を受け付ける。前記取引価格変更部は、前記設定された取引価格を段階的に下げる。前記第２受付部は、前記出品物の販売促進の設定を受け付ける。前記提示順位決定部は、前記販売促進が設定された出品物の提示順位を優先して上位にする。